【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
装着された大径ディスク又は小径ディスクに平行であり、前記各ディスクの上面に対向する部分に開口を有する第１の基板、
前記第１の基板に組み合わせて筐体を構成する第２の基板、
前記装着された大径ディスクが存在する領域である大径ディスク装着領域、の外部において前記第１及び第２の基板のいずれか一方に移動可能に取り付けられ、前記各ディスクが装着されていないとき、一部が前記大径ディスク装着領域の内部に突出している第１の位置決めレバー、
前記第１の位置決めレバーに移動可能に取り付けられ、一部が前記大径ディスク装着領域の内部に突出している第１の検知レバー、
前記ディスク装着領域の外部において、前記第１及び第２の基板のいずれか一方に移動可能に取り付けられ、前記各ディスクが装着されていないとき、一部が前記大径ディスク装着領域の内部に突出している第２の位置決めレバー、及び
前記第２の位置決めレバーに移動可能に取り付けられ、一部が前記大径ディスク装着領域の内部に突出している第２の検知レバーを有し、
前記小径ディスクを装着する場合は、前記第１及び第２の位置決めレバーによって前記小径ディスクがディスク装着位置に位置決めされ、
前記大径ディスクを装着する場合は、前記第１及び第２の検知レバーの両方が前記大径ディスクを検知すると、前記第１及び第２の位置決めレバーが、前記大径ディスクに押されて前記ディスク装着領域の外部へ移動する、ディスクローディング装置。
【請求項２】
装置内に挿入される前記大径ディスクに押されて、前記第１及び第２の検知レバーがともに移動するときのみ、前記第１及び第２の位置決めレバーが、当該移動により、ともにロック状態が解除されて移動可能となるように構成されている、請求項１記載のディスクローディング装置。
【請求項３】
前記第１及び第２の検知レバーのいずれか一方の、前記大径ディスク挿入時の移動において、前記第１及び第２の検知レバーのいずれか一方が、初期位置からトリガー位置まで移動する間に、前記第１及び第２の位置決めレバーを移動可能にし、前記トリガー位置から前記大径ディスク装着領域の外部にある退避位置まで移動する間に、前記ディスクをターンテーブルにクランプする駆動機構が駆動するように構成されている、請求項１記載のディスクローディング装置。
【請求項４】
装着された大径ディスク又は小径ディスクに平行である第１の基板と、
前記第１の基板に組み合わせて筐体を構成する第２の基板を備え、
装着された前記大径ディスクが存在する領域である大径ディスク装着領域の、外部において、前記第１及び第２の基板のいずれか一方に回転軸を有して、前記各ディスクが装填されていないとき、一部が前記大径ディスク装着領域の内部にそれぞれ突出している、前記回転軸で連結した第３の位置決めレバー及び第４の位置決めレバーと、
前記第３の位置決めレバーと前記第４の位置決めレバーの両方又は少なくとも何れか一方に回動自在に設けられ、前記各ディスクが装着されていないとき、一部が前記大径ディスク装着領域の内部に突出し、前記第１基板又は前記第２基板に設けられた第１の規制部に係合する第１の係合部を有する第３の検知レバーと、
前記第３の検知レバーが設けられた、前記第３の位置決めレバー又は前記第４の位置決めレバーに回動自在に設けられ、前記各ディスクが装着されていないとき、一部が前記大径ディスク装着領域の内部に突出し、前記第１の基板又は前記第２の基板に設けられた第２の規制部に係合する第２の係合部を有する第４の検知レバーと、
を有し、
前記小径ディスクを装着する場合は、前記第３及び第４の位置決めレバーによって前記小径ディスクがディスク装着位置に位置決めされ、
前記大径ディスクを装着する場合は、前記第３及び第４の検知レバーの両方が前記大径ディスクを検知すると、前記第３の検知レバー及び前記第４の検知レバーにおいて前記第１の規制部及び前記第２の規制部と、前記第１の係合部及び前記第２の係合部とが解除され、前記第３及び第４の位置決めレバーが、前記大径ディスクに押されて前記大径ディスク装着領域の外部へ移動する、ディスクローディング装置。
【請求項５】
前記小径ディスクを装着する場合、前記第３の検知レバーの前記第１の係合部と前記第１の規制部との係合、及び前記第４の検知レバーの第２の係合部と前記第２の規制部との係合が、同時に外れないように構成されている、請求項４に記載のディスクローディング装置。
【請求項６】
前記第４の検知レバーの前記一部は、装着された前記小径ディスクが存在する領域である、小径ディスク装着領域の内部に突出し、
前記大径ディスク又は前記小径ディスクの挿入時の移動において、前記第４の検知レバーがトリガー位置から前記大径ディスク装着領域の外部にある退避位置まで移動する間に、前記第４の検知レバーの一部が前記大径ディスク又は前記小径ディスクをターンテーブルにクランプする駆動機構を駆動させるように構成されている、請求項４又は請求項５に記載のディスクローディング装置。
【請求項７】
前記第３の位置決めレバーと前記第４の位置決めレバーと前記第１の規制部と前記第２の規制部が、すべて第１の基板側又はすべて第２の基板側に設けられた、請求項４から請求項５のいずれかに記載のディスクローディング装置。
【請求項８】
前記第３の位置決めレバーと前記第４の位置決めレバーと前記第１の規制部と前記第２の規制部が、すべて第１の基板側又はすべて第２の基板側に設けられた、請求項６に記載のディスクローディング装置。
【手続補正２】
【補正対象書類名】明細書
【補正対象項目名】００１１
【補正方法】変更
【補正の内容】
【００１１】
また、本発明の他の態様のディスクローディング装置は、装着された大径ディスク又は小径ディスクに平行である第１の基板と、前記第１の基板に組み合わせて筐体を構成する第２の基板を備え、装着された前記大径ディスクが存在する領域である大径ディスク装着領域、の外部において、前記第１及び第２の基板のいずれか一方に回転軸を有して、前記各ディスクが装着されていないとき、一部が前記大径ディスク装着領域にそれぞれ突出している、前記回転軸で連結した第３の位置決めレバー及び第４の位置決めレバーと、前記第３の位置決めレバーと前記第４の位置決めレバーの両方又は少なくとも何れか一方に回動自在に設けられ、前記各ディスクが装着されていないとき、一部が前記大径ディスク装着領域の内部に突出し、前記第１の基板又は前記第２の基板に設けられた第１の規制部に係合する第１の係合部を有する第３の検知レバーと、前記第３の検知レバーが設けられた、前記第３の位置決めレバー又は前記第４の位置決めレバーに回動自在に設けられ、前記各ディスクが装着されていないとき、一部が前記大径ディスク装着領域の内部に突出し、前記第１の基板又は前記第２の基板に設けられた第２の規制部に係合する第２の係合部を有する第４の検知レバーと、を有している。
【手続補正３】
【補正対象書類名】明細書
【補正対象項目名】００６０
【補正方法】変更
【補正の内容】
【００６０】
図２０はディスク１００及び１２０を挿入する前の待機状態を示す。トリガーレバー１０９の第２の係合部の一例であるディスク当接ピン１０９ａ（以下、当接ピン１０９ａという）は、サブシャーシ１０１に設けられた第２の規制部の一例である規制壁１０１ｃを介して回動軸１０８ｈと反対側で、規制壁１０１ｃと摺動可能な小さな隙間を持った状態にある。規制壁１０１ｃは回動軸１０８ｈを中心とした円弧状に形成されており、トリガーレバー１０９の回動に対して、当接ピン１０９ａと規制壁１０１ｃの隙間がほぼ同じ状態に保たれるように設けられている。また、右センタリングレバー１０８の回動軸孔１０８ｃと回動軸１０８ｈの中心を結ぶ直線と、待機状態（初期位置）にあるトリガーレバー１０９の当接ピン１０９ａの中心と回動軸１０８ｈを結ぶ直線は直角に近い角度に設けられている。また、当接ピン１０９ａは小径ディスク装着領域１ｅの内部まで入り込んだ状態になっている。ディスク検知レバー１１２の第１の係合部の一例であるディスク係合ピン１１２ｂはサブシャーシ１０１の第１の規制部の一例である規制壁１０１ｄに対向した位置にあり、ディスク当接ピン１１２ａ（以下、当接ピン１１２ａという）は小径ディスク装着領域１ｅの外側で大径ディスク装着領域１ｄの内側の位置で待機している。